(57)【要約】【課題】簡易な構成で携帯性を損なうことなく視認度の高い画像表示を行うことができる情報端末装置を提供すること。【解決手段】画像を撮像する撮像部１を有し、表示部２の画面上に、画像を含めて情報処理に関する情報を画像表示する情報端末装置１００において、画面の近傍に配置され、画面の周囲の照度を測光する撮像部１と、照度に応じて画面のコントラストを変更制御するＬＣＤ制御部１３ｂと、照度に応じて画面の輝度を変更制御するバックライト制御部１３ａと、を備える。【選択図】        図１
2006267225.tif 000002
【特許請求の範囲】
【請求項１】
画像を撮像する撮像手段を有し、画像表示手段の画面上に、前記画像を含めた情報を画像表示する情報端末装置において、
前記画面の近傍に配置され、前記画面の周囲の照度を測光する測光手段と、
前記照度に応じて前記画面のコントラストを変更制御するコントラスト制御手段と、
前記照度に応じて前記画面の輝度を変更制御する輝度制御手段と、
を備えることを特徴とする情報端末装置。
【請求項２】
前記コントラスト制御手段は、前記照度が、前記画面の前記照度に対応する輝度に比して大きい場合、前記画面のコントラストを高くすることを特徴とする請求項１に記載の情報端末装置。
【請求項３】
前記輝度制御手段は、前記照度が、前記画面の前記照度に対応する輝度に比して小さい場合、前記画面の輝度を上げることを特徴とする請求項１または２に記載の情報端末装置。
【請求項４】
前記測光手段は、前記撮像手段内に設けられることを特徴とする請求項１〜３のいずれか一つに記載の情報端末装置。
【請求項５】
前記測光手段は、前記画面に対応した画素信号を演算処理して前記照度とすることを特徴とする請求項１〜４のいずれか一つに記載の情報端末装置。
【請求項６】
前記測光手段は、前記画像の表示領域外の前記画素信号を用いることを特徴とする請求項５に記載の情報端末装置。
【請求項７】
前記測光手段は、１以上の前記画素信号から演算された平均照度を前記照度として測定することを特徴とする請求項５または６に記載の情報端末装置。
【請求項８】
前記測光手段は、所定の時間間隔で測光された複数の照度の平均を前記照度とすることを特徴とする請求項１〜７のいずれか一つに記載の情報端末装置。
【請求項９】
外部の光を前記測光手段に導く導光手段をさらに備えることを特徴とする請求項１〜８のいずれか一つに記載の情報端末装置。
【請求項１０】
当該情報端末装置は、折畳み機構をもつ筐体を有し、前記導光手段は、前記筐体が折畳まれた状態で外部の光を前記測光手段に導くことを特徴とする請求項９に記載の情報端末装置。
【発明の詳細な説明】
【技術分野】
【０００１】
本発明は、画像を撮像する撮像手段を有し、画像表示手段の画面上に、前記画像を含めた情報を画像表示する情報端末装置に関するものである。
【背景技術】
【０００２】
一般に、電子機器からなる情報端末装置は、携帯電話等の無線通信機器、モバイルＰＣ、ＰＤＡなどの装置がある。
【０００３】
ところで、情報端末装置は、情報を表示する表示画面を有し、この表示画面は情報端末装置の携帯性を高めるため、液晶表示装置（ＬＣＤ）等の表示部によって表示されている。ＬＣＤ等の表示部は、周囲の明るさによって視認度が異なり、例えば、明るい屋外で使用する場合には、ＬＣＤ等の表示部は画面全体がかすみ視認度が低下し、逆に暗い暗室で使用する場合には、画面全体が暗くなり視認度が低下する。そのため、ＬＣＤ等の表示部の照度を測光し、測光した照度をもとに画面全体の表示輝度を自動調整する技術が開示されている（特許文献１参照）。
【０００４】
【特許文献１】特開２００１−２６５４６３号公報
【発明の開示】
【発明が解決しようとする課題】
【０００５】
しかしながら、上述に開示された技術は、画面周囲の照度を測光する照度検出回路を必要とし、情報端末装置に要求される携帯性を阻害するという問題点があった。
【０００６】
本発明は、上記に鑑みてなされたものであって、簡易な構成で携帯性を損なうことなく、視認度の高い画像表示を行うことができる情報端末装置を提供することを目的とする。
【課題を解決するための手段】
【０００７】
上記目的を達成するために、請求項１にかかる情報端末装置は、画像を撮像する撮像手段を有し、画像表示手段の画面上に、前記画像を含めた情報を画像表示する情報端末装置において、前記画面の近傍に配置され、前記画面の周囲の照度を測光する測光手段と、前記照度に応じて前記画面のコントラストを変更制御するコントラスト制御手段と、前記照度に応じて前記画面の輝度を変更制御する輝度制御手段と、を備えることを特徴とする。
【０００８】
また、請求項２にかかる情報端末装置は、上記の発明において、前記コントラスト制御手段は、前記照度が、前記画面の前記照度に対応する輝度に比して大きい場合、前記画面のコントラストを高くすることを特徴とする。
【０００９】
また、請求項３にかかる情報端末装置は、上記の発明において、前記輝度制御手段は、前記照度が、前記画面の前記照度に対応する輝度に比して小さい場合、前記画面の輝度を上げることを特徴とする。
【００１０】
また、請求項４にかかる情報端末装置は、上記の発明において、前記測光手段は、前記撮像手段内に設けられることを特徴とする。
【００１１】
また、請求項５にかかる情報端末装置は、上記の発明において、前記測光手段は、前記画面に対応した画素信号を演算処理して前記照度とすることを特徴とする。
【００１２】
また、請求項６にかかる情報端末装置は、上記の発明において、前記測光手段は、前記画像の表示領域外の前記画素信号を用いることを特徴とする。
【００１３】
また、請求項７にかかる情報端末装置は、上記の発明において、前記測光手段は、１以上の前記画素信号から演算された平均照度を前記照度として測定することを特徴とする。
【００１４】
また、請求項８にかかる情報端末装置は、上記の発明において、前記測光手段は、所定の時間間隔で測光された複数の照度の平均を前記照度とすることを特徴とする。
【００１５】
また、請求項９にかかる情報端末装置は、上記の発明において、外部の光を前記測光手段に導く導光手段をさらに備えることを特徴とする。
【００１６】
また、請求項１０にかかる情報端末装置は、上記の発明において、当該情報端末装置は、折畳み機構をもつ筐体を有し、前記導光手段は、前記筐体が折畳まれた状態で外部の光を前記測光手段に導くことを特徴とする。
【発明の効果】
【００１７】
本発明にかかる情報端末装置は、情報端末装置が有する撮像素子が表示画面周囲の照度を測光し、この照度をもとに表示画面のコントラストまたは輝度を制御するようにしているため、簡易な構成で視認度の高い画面を表示することができるという効果を奏する。
【発明を実施するための最良の形態】
【００１８】
以下に添付図面を参照して、この発明にかかる情報端末装置の好適な実施の形態を詳細し説明する。
【００１９】
（実施の形態１）
図１は、この発明の実施の形態１である情報端末装置１００の概要構成を示すブロック図である。図１において、制御部（ＣＰＵ）１３は、撮像部１と、表示部２と、入力部３と、記録部４と、外部通信部６と、メモリ部７と、照明部９と、音声入出力部１０とを接続するとともに制御する。撮像部１は、撮像光学系１ａと、撮像素子１ｂと、画像処理部１ｃとを有し、ＣＰＵ１３は、バックライト制御部１３ａと、ＬＣＤ制御部１３ｂとを有し、入力部３は、操作ボタン３ａと、入力キー３ｂとを有する。また、記録部４は、着脱可能な記録媒体５を接続し、外部通信部６は、アンテナ８を接続する。
【００２０】
撮像部１は、ＣＰＵ１３の制御のもと、撮像対象を撮像光学系１ａを介して撮像し、撮像画像を撮像素子１ｂに送出する。撮像素子１ｂは、ＣＣＤ、またはＣＭＯＳ等によって実現され、撮像光学系１ａから送出された撮像画像を光電変換し、電気信号を画像処理部１ｃに出力する。画像処理部１ｃは、入力した電気信号を画素単位の表示信号に変換し、ＣＰＵ１３に出力する。
【００２１】
表示部２は、液晶表示装置（ＬＣＤ：Liquid Crystal Display）、または有機ＥＬパネル等の薄型ディスプレイの表示素子を有し、ＣＰＵ１３の制御のもと、撮像部１によって取得された撮像画像である画像情報、または入力部３から送出された書込指示を含む書込情報等を表示出力する。なお、表示部２は、情報端末装置１００に処理動作に関するエラーが発生した場合、ＣＰＵ１３の制御のもと、ＣＰＵ１３を介してこのエラーを報知する所定のエラー表示を表示出力してもよい。
【００２２】
入力部３は、複数の操作ボタン３ａと複数の入力キー３ｂとを有し、情報端末装置１００の措置筐体に配置される。たとえば、操作者がボタン操作とキー入力とによって操作ボタン３ａと入力キー３ｂから入力情報を入力すると、入力部３は、この入力情報の入力を受け付けるとともに、受け付けた入力情報をＣＰＵ１３に送出する。
【００２３】
記録部４は、操作者が記録部４に着脱自在に挿入した記録媒体５に対し、ＣＰＵ１３の制御のもと、ＣＰＵ１３から入力された情報を記録する。また、記録部４は、ＣＰＵ１３の制御のもと、この記録媒体５に記録された情報を読取る。なお、この記録部４に着脱自在に挿入される記録媒体５として、スマートメディア、マルチメディアカード、またはＳＤメモリカード等の各種記憶媒体が用いられる。
【００２４】
外部通信部６は、ＲＳ２３２Ｃ、ＵＳＢ、またはＩＥＥＥ１３９４等の外部インターフェース、あるいはＩｒＤＡ規格に準拠した赤外線通信インターフェース等を有し、外部のホストシステム（図示せず）、またはプリンタ等の周辺機器（図示せず）に対して情報通信を行う。外部通信部６は、情報読取処理によって読み取られた情報等がＣＰＵ１３から入力された場合、ＣＰＵ１３の制御のもと、このＣＰＵ１３から入力された情報を外部のホストシステム、または周辺機器に送出する。また、外部通信部６は、ＣＰＵ１３の処理動作を制御する各種情報が外部のホストシステムから入力された場合、この外部のホストシステムから入力された情報をＣＰＵ１３に送出する。なお、外部通信部６は、外部のホストシステムまたは周辺機器の各端子に電気的に接続できる共用端子を用いてもよいし、アンテナ８を介して無線通信を行うようにしてもよい。
【００２５】
メモリ部７は、処理プログラム等の各種データが予め記録されたＲＯＭと、各種演算パラメータ、外部情報記憶媒体、または光学情報記憶媒体から読取られた各種情報、書込情報、あるいは音声情報等を記憶するＲＡＭとを有している。ＣＰＵ１３は、メモリ部７に記録された処理プログラムを実行する。
【００２６】
照明部９は、撮像対象に対し赤外光、または可視光を投光する半導体レーザ素子、または発光ダイオード等の光源を有し、ＣＰＵ１３の制御のもと、撮像対象に対して投光する。
【００２７】
音声入出力部１０は、マイクロフォンおよびスピーカを有し、ＣＰＵ１３の制御のもと、外部からの音声情報を入力するとともに、入力した音声情報をＣＰＵ１３に送出する。また、音声入出力部１０は、ＣＰＵ１３の制御のもと、ＣＰＵ１３から入力された音声情報を外部に出力する。なお、音声入出力部１０は、ＣＰＵ１３の制御のもと、各構成部位による処理の開始または完了を報知する所定の報知音を出力し、または情報端末装置１００の処理動作に関するエラーが発生した場合に、ＣＰＵ１３の制御のもと、このエラー音を報知する所定のエラー音を出力してもよい。この場合、音声入出力部１１は、上述した表示部２によるエラー表示の出力と同期して、このエラー表示に対応するエラー音を出力する。
【００２８】
ここで、ＣＰＵ１３は、表示部２に備えられたバックライトを制御するバックライト制御部１３ａとＬＣＤを制御するＬＣＤ制御部１３ｂとを有し、ＣＰＵ１３は、撮像部１が測光した照度をもとにバックライト制御部１３ａとＬＣＤ制御部１３ｂとを制御する。
【００２９】
図２は、表示部２の詳細を示すブロック図である。図２に示すように、表示部２は、バックライト２ａとＬＣＤ２ｂと表示パネル２ｃとを有し、バックライト２ａは、バックライト制御部１３ａによって輝度が制御され、ＬＣＤ２ｂは、ＬＣＤ制御部１３ｂによってコントラストが制御され、表示パネル２ｃは、ＬＣＤ２ｂによって形成された表示画像を表示するとともに、ＬＣＤ２ｂを外部から保護する。バックライト制御部１３ａは、バックライト２ａに流す電流を制御することによってバックライト２ａの輝度を制御し、ＬＣＤ制御部１３ｂは、ＬＣＤ２ｂを駆動する電圧を制御することによってＬＣＤ２ｂのコントラストを制御する。
【００３０】
図３は、情報端末装置１００の外観を示す斜視図である。図３に示すように、情報端末装置１００は、箱状の筐体３０に収納され、筐体３０は、入力部３が有する複数の操作ボタン３ａと複数の入力キー３ｂと表示パネル２ｃとを露出している。また、筐体３０は、表示パネル２ｃの近傍に透明の撮像窓３１を配置し、この撮像窓３１の直下に撮像部１が収納されている。
【００３１】
図４は、撮像部１の外観を示す斜視図である。図４に示すように、撮像部１は、画像処理部１ｃと、撮像光学系１ａと、鏡筒１ｄ，１ｅ接続板１Ａとを有する。撮像光学系１ａを保持する鏡筒１ｄ,１ｅは、矩形状の画像処理部１ｃに固定され、画像処理部１ｃは、板バネ状の接続板１Ａを固定する。撮像部１は、撮像光学系１ａによって撮像された画像を画像処理部１ｃによって電気信号に変換し、この電気信号を接続板１Ａを介して制御部１３に送出する。
【００３２】
図５は、情報端末装置１００に収納された撮像部１を示す断面図である。図５に示すように、撮像部１は、筐体３０に配置された撮像窓３１の直下に収納される。撮像光学系１ａは、鏡筒１ｄに矜持され、鏡筒１ｄは、鏡筒１ｅに保持され、鏡筒１ｅは、画像処理部１ｃに固定される。画像処理部１ｃは、撮像素子１ｂを保持するとともに接続板１Ａを接続する。
【００３３】
図５に示すように、撮像光学系１ａは、撮像窓３１を介して光学画像領域を形成して撮像素子１ｂに送出する。撮像素子１ｂは、この光学画像領域を構成する光を光電変換し、電気信号によって処理画像領域を形成して画像処理部１ｃに送出する。画像処理部１ｃは、処理画像領域に対応する電気信号を画素信号に変換し、表示画像領域を形成してＣＰＵ１３に送出する。
【００３４】
ところで、画像処理部１ｃは、撮像素子１ｂが取得した処理画像領域に対応した電気信号から表示画像領域に対応した画素単位の信号に変換するが、撮像素子１ｂの特性から処理画像領域の境界付近は、電気信号が不安定であるため、高画質の画像を確実に取得できない。そこで、画像処理部１ｃは、処理画像領域から所定のマージン領域を差し引いて表示画像領域を形成する。
【００３５】
そこで、照度を測光する測光部を処理画像領域内、表示画像領域外に設けると、画像処理部１ｃは、撮像素子１ｂから入力した電気信号をもとに照度の演算と画素信号への変換とを同時に行うことができ、画像表示への影響を与えずに済む。
【００３６】
図６は、測光部が測光する位置と、光学画像領域、処理画像領域、表示画像領域との関係を示した模式図である。図６に示すように、光学画像領域４０は、撮像光学系１ａの形状に対応して円形で最も広く、処理画像領域４１は、光学画像領域４０内にあり、表示画像の形状に対応させて矩形である。また、表示画像領域４２は、処理画像領域４１内にあり、測光部４３は、処理画像領域４１内にあり、表示画像領域４２外にある。
【００３７】
画像処理部１ｃは、測光部４３から出力された電気信号を照度に変換してＣＰＵ１３に出力する。ＣＰＵ１３は、画像処理部１ｃから入力した照度をもとに表示部２のコントラスト、あるいは輝度を制御する。
【００３８】
図７は、撮像部１が測光した照度をもとにＣＰＵ１３が表示部２のコントラスト、あるいは輝度を適正に制御する動作を示すフローチャートである。図７に示すように、まず、情報端末装置１００の電源が「ＯＮ」されると（ステップＳ１０１）、撮像部１は、測光を開始する（ステップＳ１０２）。画像処理部１ｃは、電気信号から照度Ｃ0に変換して（ステップＳ１０３）、ＣＰＵ１３に出力する。ＣＰＵ１３は、情報端末装置１００が明るい場所に置かれているか否かを判別するため、照度Ｃ0が閾値Ｃ1以下であるか否かを判断する（ステップＳ１０４）。照度Ｃ0が閾値Ｃ1以下である場合（ステップＳ１０４，ＹＥＳ）、ＣＰＵ１３は、情報端末装置１００が暗い場所に置かれているか否かを判別するため、照度Ｃ0が閾値Ｃ2以上であるか否かを判断する（ステップＳ１０５）。照度Ｃ0が閾値Ｃ2以上である場合（ステップＳ１０５，ＹＥＳ）、ＣＰＵ１３は、携帯情報端末装置１００が適正な明るさの環境にあると判断する。
【００３９】
照度Ｃ0が閾値Ｃ1より大である場合（ステップ１０４，ＮＯ）、ＣＰＵ１３は、情報端末装置１００が明るい場所に置かれていると判断し、ＬＣＤ制御部１３ｂを介してＬＣＤ２ｂのコントラストを高くする（ステップＳ１０６）。照度Ｃ0が閾値Ｃ2未満である場合（ステップＳ１０５，ＮＯ）、ＣＰＵ１３は、さらに情報端末装置１００が非常に暗い場所に置かれているか否かを判別するため、照度Ｃ0が閾値Ｃ3以上であるか否かを判断する（ステップＳ１０７）。照度Ｃ0が閾値Ｃ3以上である場合（ステップＳ１０７，ＹＥＳ）、ＣＰＵ１３は、情報端末装置１００が暗い場所に置かれていると判断し、バックライト制御部１３ａを介してバックライト２ａを点灯する（ステップＳ１０８）。また、照度Ｃ0が閾値Ｃ3未満である場合（ステップＳ１０７，ＮＯ）、ＣＰＵ１３は、情報端末装置１００が非常に暗い場所に置かれていると判断し、バックライト制御部１３ａを介してバックライト２ａを点灯してバックライト２ａの輝度を変更する（ステップＳ１０９）。
【００４０】
図８は、表示部２に表示された暗い部分（斜線部）と明るい部分（白抜き部）との輝度が外光（バックグラウンド照度）によって、異なることを示す模式図である。図８に示すように、画面の暗い部分と明るい部分との輝度差（コントラスト）Ｋ１は、一定であるが、画面が暗い暗室に置かれた場合、画面全体が輝度不足となり視認度が不良となる。また、画面が明るい屋外に置かれた場合、画面全体の輝度過剰により視認度が不良となる。
【００４１】
したがって、図９に示すように、画面が明るい屋外に置かれた場合、コントラストＫ１をより高いコントラストＫ２に変更し、視認度を向上させる。画面がカラー表示されている場合、各画素の「色相」「彩度」「明度」を変化させることによってコントラストを高めるようにしてもよい。図１０に示すように、画面が暗い暗室に置かれた場合、画面全体の輝度を高くして視認度を向上させる。
【００４２】
この実施の形態１では、情報端末装置１００の撮像部１が表示部２周囲の照度を測光し、測光した照度をもとに表示部２のコントラスト、あるいは輝度を制御し、視認度の高い表示画面を形成するようにしている。
【００４３】
なお、この実施の形態１では、画像処理部１ｃが電気信号から照度に変換するようにしていたが、ＣＰＵ１３が照度に変換するようにしてもよい。また、ＣＰＵ１３が適正なコントラスト、あるいは輝度を演算するようにしていたが、記録部４が照度に対応した適性なコントラスト、あるいは適正な輝度を保持するようにしてもよい。
【００４４】
また、この実施の形態１では、情報端末装置１００は、１度だけ、照度を測光するようにしていたが、所定の時間間隔ごとに照度を測光して、照度の平均からコントラスト、あるいは輝度を制御するようにしてもよい。情報端末装置１００が置かれた環境の明るさを平均化できるからである。また、情報端末装置１００の操作者が手動で照度を測光するようにしてもよい。
【００４５】
つぎに実施の形態１の変形例について説明する。この変形例では、複数の測光部４３Ａが複数設けられ、この複数の測光部４３Ａで測光された撮像データの平均を照度とするようにしている。
【００４６】
図１１は、複数の測光部４３Ａが測光する位置に対応する位置を示す模式図である。図１１に示すように、複数の測光部４３Ａは、処理画像領域４１内にあり、表示画像領域４２外にあり、両者の境界を囲むように配置されている。
【００４７】
このように複数の測光部４３Ａを配置すると、同時に複数の照度が変換でき、ＣＰＵ１３は、平均化された照度をもとにコントラスト、あるいは輝度を制御することができる。すなわち、安定的な画面表示の制御が行える。
【００４８】
（実施の形態２）
つぎに、この実施の形態２について説明する。実施の形態１では、情報端末装置１００は、折畳式ではなかったが、この実施の形態２では、情報端末装置が折畳式であり、情報端末装置が折畳まれた状態であっても、開いた状態であっても照度が測光できるようにしている。
【００４９】
図１２は、折畳式の情報端末装置２００を示す分解組立図である。図１２に示すように、情報端末装置２００は、折畳み機構を有し、筐体３０Ａの一方には、操作板１３Ａが配置され、筐体３０Ａの他方には、表裏双方に表示面を有する表示パネル２０Ｃが配置されている。制御板１３Ａと撮像部１とは、筐体３０Ａと筐体３１Ｂとによって挟み込まれてビス３２で固定され、表示パネル２０Ｃは、筐体３０Ａと筐体３１Ｃとによって挟み込まれてビス３２で固定されている。表示パネル２０Ｃは、表示窓３４Ａを介して画像を筐体３０Ａの内側に表示し、表示窓３４Ｂを介して画像を筐体３１Ｃの外側に表示する。撮像部１は、接続板１Ａによって制御板１Ａに接続され、表示パネル２０Ｃは、接続板８Ａによって制御板１Ａに接続されている。
【００５０】
筐体３０Ａには、撮像窓３３Ａ，３３Ｂが設けられ、筐体３１Ｃには、撮像窓３３Ｃが設けられている。したがって、撮像部１は、筐体３０Ａが開かれた状態では、撮像窓３３Ａを介して、また筐体３０Ａが折畳まれて状態では撮像窓３３Ａ，３３Ｂ，３３Ｃを介して照度を測光する。
【００５１】
つまり、制御板１３Ａは、筐体３０Ａが開かれた状態では撮像窓３３Ａを介して測光した照度をもとに表示窓３４Ａを介して表示される表示パネル２０Ｃの画面を制御し、筐体３０Ａが閉じられた状態では撮像窓３３Ａ，３３Ｂ，３３Ｃを介して測光した照度をもとに表示窓３４Ｂを介して表示される表示パネル２０Ｃの画面を制御する。
【００５２】
この実施の形態２では、筐体３０Ａに撮像窓３３Ａ，３３Ｂ，３３Ｃを設けることによって、折畳み式の情報端末装置２００が折畳まれた状態であっても、開かれた状態であっても照度の測光が行えるようにしている。
【００５３】
なお、この実施の形態２では、撮像部１は、撮像窓３３Ａ，３３Ｂ，３３Ｃである孔を介して照度を測光するようにしていたが、撮像窓３３Ａ，３３Ｂ，３３Ｃに光ファイバーケーブル、透明アクリル材等を埋め込み、これらの部材を介して照度を測光するようにしてもよい。
【００５４】
なお、上述の実施の形態１，２では、表示部２の表示画面をＬＣＤ２ｂとしていたが、ＣＲＴ、有機ＥＬ等の画面であってもよい。情報端末装置１００，２００は、たとえばＰＤＡ（Personal Digital Assistant）、携帯電話、移動式通信装置、およびモバイルＰＣ等によって実現される。
【００５５】
また、この情報端末装置１００，２００に非接触による情報通信を行ってＲＦＩＤ（Radio Frequency Identification）タグを読込む機能を備えるようにしてもよい。
【図面の簡単な説明】
【００５６】
【図１】この発明の実施の形態１にかかる情報端末装置の機能ブロック図である。
【図２】この発明の実施の形態１にかかる表示部の機能ブロック図である。
【図３】この発明の実施の形態１にかかる情報端末装置の外観を示す斜視図である。
【図４】この発明の実施の形態１にかかる撮像部の外観を示す斜視図である。
【図５】この発明の実施の形態１にかかる撮像部の拡大断面図である。
【図６】この発明の実施の形態１にかかる測光部に対応する位置を示す模式図である。
【図７】この発明の実施の形態１にかかる照度をもとにコンントラスト、あるいは輝度の制御動作を示すフローチャートである。
【図８】この発明の実施の形態１にかかる情報端末装置が置かれた環境によって画面の輝度が異なることを示す模式図である。
【図９】この発明の実施の形態１にかかる情報端末装置が明るい場所に置かれた場合の対処を示す模式図である。
【図１０】この発明の実施の形態１にかかる情報端末装置が暗い場所に置かれた場合の対処を示す模式図である。
【図１１】この発明の実施の形態１の変形例にかかる測光部に対応する位置を示す模式図である。
【図１２】この発明の実施の形態２にかかる情報端末装置の組立分解図である。
【符号の説明】
【００５７】
１  撮像部
１ａ  撮像光学系
１ｂ  撮像素子
１ｃ  画像処理部
１ｄ，１ｅ  鏡筒
１Ａ，８Ａ  接続板
２  表示部
２ａ  バックライト
２ｂ  ＬＣＤ
２ｃ，２０Ｃ  表示パネル
３  入力部
３ａ  操作ボタン
３ｂ  入力キー
４  記録部
５  記録媒体
６  外部通信部
７  メモリ部
８  アンテナ
９  照明部
１０  音声入出力部
１３  ＣＰＵ
１３ａ  バックライト制御部
１３ｂ  ＬＣＤ制御部
３０，３０Ａ，３０Ｂ，３０Ｃ  筐体
３１，３３Ａ，３３Ｂ，３３Ｃ  撮像窓
３２  ビス
３４Ａ，３４Ｂ  表示窓
４０  光学画像領域
４１  処理画像領域
４２  表示画像領域
４３，４３Ａ  測光部
１００，２００  情報端末装置
【図１】
2006267225.tif 000003
【図２】
2006267225.tif 000004
【図３】
2006267225.tif 000005
【図４】
2006267225.tif 000006
【図５】
2006267225.tif 000007
【図６】
2006267225.tif 000008
【図７】
2006267225.tif 000009
【図８】
2006267225.tif 000010
【図９】
2006267225.tif 000011
【図１０】
2006267225.tif 000012
【図１１】
2006267225.tif 000013
【図１２】
2006267225.tif 000014